【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
（ａ）第１の流れのポリオール成分を含む第１の圧力の第１のドラム又は容器、及びイソシアネート成分を含む第２の圧力の第２のドラム又は容器を与え、液体発泡剤組成物はポリオール成分に導入され；
（ｂ）第１のドラム又は容器から液体発泡剤を含むポリオール成分の一部を排出してポンプに導入することによって、ポリオール成分の一部の圧力を増大させて、大気圧よりも高い圧力を有する第２の流れのポリオール成分を生成させ；
（ｃ）第２の流れの中に注入によって、大気圧よりも高い圧力を有する補助発泡剤組成物を導入して、大気圧よりも高い圧力を有し前記補助発泡剤およびポリオール成分を含む第３の液体流れを生成させ；そして
（ｄ）第２のドラム又は容器からイソシアネート成分の一部を排出してポンプに導入することによって、イソシアネート成分の一部の圧力を増大させて、大気圧よりも高い圧力を有する第４の流れのイソシアネート成分を生成させ；
（ｅ）第３の流れの少なくとも一部を第４の流れと混合して、混合物がフォームを形成する；
ことを含む熱硬化性フォームを形成する方法であって、
前記液体発泡剤組成物が、１−クロロ−３，３，３−トリフルオロプロペン（ＨＦＣＯ−１２３３ｚｄ）を含み、
前記補助発泡剤組成物が、１，３，３，３−テトラフルオロプロペン（ＨＦＯ−１２３４ｚｅ）を含み、
工程（ａ）〜（ｅ）を通じて使用される前記液体発泡剤組成物及び前記補助発泡剤組成物の全量が工程（ａ）〜（ｅ）を通じて使用される全ポリオール成分の重量に基づいて１〜３０重量％の量で存在する、方法。
【請求項２】
前記液体発泡剤組成物がトランスＨＦＣＯ−１２３３ｚｄを含む、請求項１に記載の方法。
【請求項３】
前記補助発泡剤組成物がトランスＨＦＯ−１２３４ｚｅを含む、請求項１に記載の方法。
【請求項４】
前記液体発泡剤が液体共発泡剤を更に含む、請求項１〜３のいずれかに記載の方法。
【請求項５】
前記液体発泡剤が約９０〜約９９重量％のＨＦＣＯ−１２３３ｚｄ及び約１〜約１０重量％の液体共発泡剤を含む、請求項４に記載の方法。
【請求項６】
前記液体発泡剤が約９０〜約９５重量％のＨＦＣＯ−１２３３ｚｄ及び約５〜約１０重量％の液体共発泡剤を含む、請求項４に記載の方法。
【請求項７】
前記液体共発泡剤が、水、ヒドロフルオロカーボン（ＨＦＣ）、ヒドロフルオロオレフィン（ＨＦＯ）、ヒドロクロロフルオロカーボン（ＨＣＦＣ）またはこれらの組み合わせからなる群から選択される、請求項４〜６のいずれかに記載の方法。
【請求項８】
前記液体共発泡剤が、水；１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；からなる群から選択される、請求項４〜７のいずれかに記載の方法。
【請求項９】
前記補助発泡剤が液体共発泡剤を更に含む、請求項１〜８のいずれかに記載の方法。
【請求項１０】
前記補助発泡剤が約９０〜約９９重量％のＨＦＯ−１２３４ｚｅ及び約１〜約１０重量％の液体共発泡剤を含む、請求項９に記載の方法。
【請求項１１】
前記補助発泡剤が約９０〜約９５重量％のＨＦＯ−１２３４ｚｅ及び約５〜約１０重量％の液体共発泡剤を含む、請求項９に記載の方法。
【請求項１２】
前記液体共発泡剤が、水、ヒドロフルオロカーボン（ＨＦＣ）、ヒドロフルオロオレフィン（ＨＦＯ）、ヒドロクロロフルオロカーボン（ＨＣＦＣ）またはこれらの組み合わせからなる群から選択される、請求項９〜１１のいずれかに記載の方法。
【請求項１３】
前記液体共発泡剤が、水；１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；からなる群から選択される、請求項９〜１２のいずれかに記載の方法。
【請求項１４】
前記第１の流れが、共発泡剤、共溶媒、界面活性剤、ポリマー変性剤、着色剤、染料、溶解度向上剤、流動性調節剤、可塑剤、難燃剤、可燃性抑制剤、抗菌剤、粘度低下調節剤、充填剤、蒸気圧調節剤、成核剤、触媒、ポリオール、イソシアネート、安定剤、及びこれらの２以上の任意の組合せからなる群から選択される少なくとも１種類の助剤を含む、請求項１〜１３のいずれかに記載の方法。
【請求項１５】
前記熱硬化性フォームがポリウレタンフォーム、ポリイソシアヌレートフォーム、フェノールフォーム、またはこれらの組み合わせである、請求項１〜１４のいずれかに記載の方法。
【請求項１６】
前記熱硬化性フォームがポリウレタンフォーム、またはポリイソシアヌレートフォームである、請求項１５に記載の方法。
【請求項１７】
前記フォームは、ブロック、スラブ、積層体、硬質フォーム、独立気泡フォーム、または軟質フォームである、請求項１〜１６のいずれかに記載の方法。
【請求項１８】
前記フォームは、噴霧適用フォーム、または、冷蔵庫用フォーム、冷凍庫用フォーム、給湯器用フォームなどの電化製品用フォームである、請求項１〜１７のいずれかに記載の方法。
【請求項１９】
前記フォームは、不連続又は連続パネル用フォーム、断熱輸送容器用フォームなどの注入フォームである、請求項１〜１８のいずれかに記載の方法。
【請求項２０】
前記フォームは、不連続又は連続パネル用フォームである、請求項１９に記載の方法。
【請求項２１】
（ａ）第１の流れのポリオール成分を含む第１の圧力の第１のドラム又は容器、及びイソシアネート成分を含む第２の圧力の第２のドラム又は容器を与え、液体発泡剤組成物はポリオール成分に導入され；
（ｂ）第１のドラム又は容器から液体発泡剤を含むポリオール成分の一部を排出してポンプに導入することによって、ポリオール成分の一部の圧力を増大させて、大気圧よりも高い圧力を有する第２の流れのポリオール成分を生成させ；
（ｃ）第２の流れの中に注入によって、大気圧よりも高い圧力を有する補助発泡剤組成物を導入して、大気圧よりも高い圧力を有し前記補助発泡剤組成物およびポリオール成分を含む第３の液体流れを生成させ；そして
（ｄ）第２のドラム又は容器からイソシアネート成分の一部を排出してポンプに導入することによって、イソシアネート成分の一部の圧力を増大させて、大気圧よりも高い圧力を有する第４の流れのイソシアネート成分を生成させ；
（ｅ）第３の流れの少なくとも一部を第４の流れと混合して、混合物がフォームを形成する；
ことを含むポリウレタン噴霧フォームを形成する方法であって、
前記液体発泡剤組成物が１−クロロ−３，３，３−トリフルオロプロペン（ＨＦＣＯ−１２３３ｚｄ）を含み、
前記補助発泡剤組成物が１，３，３，３−テトラフルオロプロペン（ＨＦＯ−１２３４ｚｅ）を含み、
工程（ａ）〜（ｅ）を通じて使用される前記液体発泡剤組成物及び前記補助発泡剤組成物の全量が工程（ａ）〜（ｅ）を通じて使用される全ポリオール成分の重量に基づいて１〜３０重量％の量で存在する、方法。
【請求項２２】
（ａ）第１の流れのポリオール成分を含む第１の圧力の第１のドラム又は容器、及びイソシアネート成分を含む第２の圧力の第２のドラム又は容器を与え、液体発泡剤組成物はポリオール成分に導入され；
（ｂ）第１のドラム又は容器から液体発泡剤を含むポリオール成分の一部を排出してポンプに導入することによって、ポリオール成分の一部の圧力を増大させて、大気圧よりも高い圧力を有する第２の流れのポリオール成分を生成させ；
（ｃ）第２の流れの中に注入によって、大気圧よりも高い圧力を有する補助発泡剤組成物を導入して、大気圧よりも高い圧力を有し前記補助発泡剤組成物およびポリオール成分を含む第３の液体流れを生成させ；そして
（ｄ）第２のドラム又は容器からイソシアネート成分の一部を排出してポンプに導入することによって、イソシアネート成分の一部の圧力を増大させて、大気圧よりも高い圧力を有する第４の流れのイソシアネート成分を生成させ；
（ｅ）第３の流れの少なくとも一部を第４の流れと混合して、混合物がフォームを形成する；
ことを含むポリイソシアヌレートパネルフォームを形成する方法であって、
前記液体発泡剤組成物が１−クロロ−３，３，３−トリフルオロプロペン（ＨＦＣＯ−１２３３ｚｄ）を含み、
前記補助発泡剤組成物が１，３，３，３−テトラフルオロプロペン（ＨＦＯ−１２３４ｚｅ）を含み、
工程（ａ）〜（ｅ）を通じて使用される前記液体発泡剤組成物及び前記補助発泡剤組成物の全量が工程（ａ）〜（ｅ）を通じて使用される全ポリオール成分の重量に基づいて１〜３０重量％の量で存在する、方法。